(57)【要約】【課題】  店舗用カートを使用して買い物をするとき、自身が持って来たショッピングカートを店舗用カートに一時的に引っ掛けておくことができるようにして、自身のショッピングカートの安定保持を気にすることなく買い物ができるショッピングカートを提供できるようにすることにある。【解決手段】  ショッピングカート１を、店舗用カートのかご上縁部に引っ掛けておくことができるように、フック部材２を、本体の重心よりも上方の両ハンドル支柱３の間に架設したバー４に設ける。【選択図】  図１
0003184613.tif 000002
【実用新案登録請求の範囲】
【請求項１】
本体の重心の位置よりも上方の位置に、店舗用カートのかご上縁部に掛着可能に構成された掛着手段を有することを特徴とするショッピングカート。
【請求項２】
閉じられた傘の先端部を収容する有底筒体と、閉じられた傘の本体を保持する保持手段とからなる傘保持部が上記本体に設けられていることを特徴とする請求項１に記載のショッピングカート。
【請求項３】
上記掛着手段が、店舗用カートのかご上縁部に掛着する掛着部と、該掛着部が店舗用カートのかご上縁部に掛着した状態のとき、掛着部から立下がる立下り部からなっており、該立下り部は、本体に備える所定のハンドル支柱間に架設された架設部材に遊着されて、上記掛着方向に回転できるようになっていることを特徴とする請求項１に記載のショッピングカート。
【請求項４】
上記立下り部の架設部材を通す通孔が、該通孔方向に対し立下り部の延設方向に拡大されていることを特徴とする請求項３に記載のショッピングカート。
【考案の詳細な説明】
【技術分野】
【０００１】
本考案は、ショッピングカートに関し、より詳しくは、スーパーマーケットなどに備える店舗用カートに一時的に引っ掛けておくことができるショッピングカートに関する。
【背景技術】
【０００２】
今日、ショッピングカートは、店舗で購入した物品を手で提げて持ち歩くことが大変になる高齢者の利用が多くなっていて、購入した物品はショッピングカートに入れ、このショッピングカートを引いて移動することによって購入した物品を楽に持ち歩けるようになった。
【０００３】
しかしながら、スーパーマーケットなどのように、客自身が購入する物品を店に備える店舗用カートに入れてレジまで持って行って代金を支払うセルフサービスの店では、店舗用カートと持って来たショッピングカートの２台を移動させながらショッピングすなわち買い物をしなければならないため、買物をするのが非常に大変であった。
【０００４】
特に高齢者の場合は足腰や手の力が弱くなっていることから、店舗用カートと持って来たショッピングカートの２台を移動させているときやケースから商品を取り出しているときなど、自身が持って来たショッピングカートの安定保持を気にして転倒してしまう危険が大にあった。
【０００５】
ところで、ショッピングカートを店の入り口やレジ付近に置いてから店舗用カートで買い物をすればよいと考えられるが、盗難などの恐れもあることからこの方法は非現実的であり、来店したショッピングカート持参の客は、自身のショッピングカートと店舗用カートの２台を移動させながら買い物をしなければならなかった。
【先行技術文献】
【特許文献】
【０００６】
【特許文献１】特開２００９−８３７６０号公報
【考案の概要】
【考案が解決しようとする課題】
【０００７】
本考案の目的とするところは、店舗用カートを使用して買い物をするとき、自身が持って来たショッピングカートを店舗用カートに一時的に引っ掛けておくことができるようにして、自身のショッピングカートの安定保持を気にすることなく買い物ができるショッピングカートを提供できるようにすることにある。
【課題を解決するための手段】
【０００８】
上述した課題を解決するために、本考案に係るショッピングカートは、本体の重心よりも上方に、店舗用カートのかご上縁部に掛着可能に構成した掛着手段を設けていることを特徴とするものである。
【０００９】
また、上記掛着手段が、本体に備えるハンドル支柱に直接的もしくは間接的に設けられていることを特徴とするものである。
【００１０】
また、上記掛着手段が、店舗用カートのかご上縁部に掛着する掛着部と、該掛着部が店舗用カートのかご上縁部に掛着した状態のとき、掛着部から立下がる立下り部からなっており、該立下り部は、本体に備える所定のハンドル支柱間に架設された架設部材に遊着されて、上記掛着方向に回転できるようになっていることを特徴とするものである。
【００１１】
また、上記立下り部の架設部材を通す通孔が、該通孔方向に対し立下り部の延設方向に拡大されていることを特徴とするものである。
【００１２】
また、上記本体に傘保持部が設けられており、傘の先端部を収容するための有底筒体を車輪の内横に設け、閉じられた傘の本体を保持するための保持手段を本体の比較的上方に設けていることを特徴とするものである。
【００１３】
また、上記有底筒体が、本体に備えるハンドル支柱と車輪軸との連結部材に設けられていることを特徴とするものである。
【考案の効果】
【００１４】
本考案に係るショッピングカートによれば、店舗用カートを使用して買い物をするとき、自身が持って来たショッピングカートを店舗用カートに一時的に引っ掛けておくことができるので、自身が持って来たショッピングカートの安定保持を気にすることなく、安定して店舗用カートを押すことができ、また、容易にケース内から商品を取って店舗用カートのかごに入れることができる。
【００１５】
特に、足腰や手の力が弱い高齢者は、自身が持って来たショッピングカートの安定保持を気にしなくてもよいので、店舗用カートの操作やケース内から商品を取り出すときも容易に且つ安全に行うことができ、これにより、高齢者の店舗内事故を大に低減させることができる。
【図面の簡単な説明】
【００１６】
【図１】本考案に係るショッピングカートの一例を示す斜視図。
【図２】図１の一部拡大斜視図。
【図３】ショッピングカートを店舗用カートに引っ掛けた状態の図。
【図４】図３の一部拡大図。
【図５】ショッピングカートを店舗用カートに引っ掛けるときの操作を示す図。
【図６】傘立てを設けた本考案に係るショッピングカートの一例を示す斜視図。
【考案を実施するための形態】
【００１７】
以下、本考案に係るショッピングカートの実施例を、添付図面に示す具体例に基づいて説明する。
【００１８】
本ショッピングカート１は、図１に示すように、店舗用カートのかご上縁部に引っ掛けておくことができる掛着手段たるフック部材２を設けている。このフック部材２は、本体の重心よりも上方に設けている。また、本実施例に示したショッピングカート１では、フック部材２を、両ハンドル支柱３の間に架設したバー４に配設している。
【００１９】
フック部材２は、図２に示すように、店舗用カートのかご上縁部に掛着するための掛着部たるフック本体部２１と、フック本体部２１から立下がる立下り部２２から構成しており、また、立下り部２２にはこの延設方向に拡大する通孔２３が設けられ、この通孔２３にバー４が通されて、フック部材２がフッキング（掛着）方向に回転できるようにしている。
【００２０】
図３は、ショッピングカート１を店舗用カート５に引っ掛けた状態を示していて、すなわち、図４に示すように、ショッピングカート１のフック部材２におけるフック本体部２１が、店舗用カート５におけるかご５１の上縁部に掛着する。
【００２１】
図５は、ショッピングカート１を店舗用カート５に引っ掛けるときの操作を示していて、本操作を行うことで、ショッピングカート１を店舗用カート５により掛けやすくできる。先ず図５（ａ）のように、起立状態にあるショッピングカート１のフック部材２をハンドル支柱３の先端方向たる上方（図中の矢印Ａ方向）に引き上げ、次いで図５（ｂ）のように、フック部材２のフック本体部２１をショッピングカート１の背面側（図中の矢印Ｂ方向）に倒し、次いで図５（ｃ）のように、フック本体部２１を倒した状態でショッピングカート１を下して（図中の矢印Ｃ方向）このフック本体部２１を店舗用カート５のかご５１上縁部に引っ掛け、次いで図５（ｄ）のように、フック本体部２１が安定するまでショッピングカート１を下（図中の矢印Ｄ方向）す。これで、ショッピングカート１が安定的に店舗用カート５に引っ掛かる。
【００２２】
図６は、ショッピングカート１に傘保持部たる傘立を設けたものを示していて、図６（ａ）における符号６１が、傘７の先端部たる石突を保持するための傘立の石突受け、同図の符号６２が、傘７の本体を保持するための傘立の固定ベルトである。また、図６（ｂ）は、傘立（石突受け６１、固定ベルト６２）に傘７を保持している状態を示している。
【００２３】
石突受け６１は、ハンドル支柱３と車輪軸８との連結部材９に設けていて、また、石突受け６１の底部には、雨水を抜く通孔を設けている。そして固定ベルト６２は、本実施例ではバックル型式のものを示しているが、勿論、面ファスナ型式のものなど、ショッピングカート１の形態に合わせて好適な型式のものを選定して用いればよい。
【００２４】
また、本実施例で示したフック部材２は、バー４方向に長い横長形態にしているが、例えば、フック本体部２１を２つ（複数）設けた形態など、別の形態にしてもよい。
【００２５】
そして、フック部材２のフック本体部２１や立下り部２２の形態や寸法なども特に限定するものではなく、ショッピングカート１や店舗用カート５の形態、またショッピングカート１に傘保持部たる傘立を設ける場合などを考慮して決定すればよい。例えば、ショッピングカート１に傘保持部たる傘立を設ける場合は、フック部材２の立下り部２２を、通孔２３を含めてこの立下り部２２の延設方向に長くして、傘７を傘立（石突受け６１、固定ベルト６２）に保持させた状態でショッピングカート１を店舗用カート５に掛けるときも、傘７が邪魔になることなく、フック部材２のフック本体部２１を容易に店舗用カート５のかご５１上縁部に引っ掛けることができるようにするのがよい。
【００２６】
また、フック部材２の材質も特に限定するものではなく、合成樹脂や合成ゴムや金属など好適な素材で形成すればよい。そして、合成樹脂で成形するとき、ショッピングカート１が特に重い場合は、この重さに十分耐えられるようエンジニアプラスチックを用いてもよい。さらには、フック部材２の強度を強くするために金属や化学繊維などの骨材を埋設してもよい。
【００２７】
実施例の図における符号１０は、買い物をした物品を入れる収納部、符号１１は、ショッピングカート１の車輪、符号１２は、ショッピングカート１を起立状態で置いておくためのスタンド、符号１３は、店舗用カート５のキャスタである。
【符号の説明】
【００２８】
１…ショッピングカート
２…フック部材
３…ハンドル支柱
４…バー
５…店舗用カート
７…傘
８…車輪軸
９…連結部材
１０…収納部
１１…車輪
１２…スタンド
１３…キャスタ
２１…フック本体部
２２…立下り部
２３…通孔
５１…かご
６１…石突受け
６２…固定ベルト
【図１】
0003184613.tif 000003
【図２】
0003184613.tif 000004
【図３】
0003184613.tif 000005
【図４】
0003184613.tif 000006
【図５】
0003184613.tif 000007
【図６】
0003184613.tif 000008